(57)【要約】【課題】軒樋と屋根材との間で統一感を表現することができ、軒先の外観を向上することができる軒先構造を提供する。【解決手段】屋根材１を段葺きした屋根の軒先に軒樋２を設けた軒先構造に関する。軒樋２の屋外側の上端部に屋外方向へ延出片３を設けると共に延出片３の先端に見付け部４を設ける。見付け部４を屋根材１の軒側先端面１ａと同等の外観に形成すると共に、段葺きした屋根材１の各軒側先端面１ａが軒棟方向に並ぶ延長上に見付け部４を配置する。【選択図】図１
2009209608.tif 000002
【特許請求の範囲】
【請求項１】
屋根材を段葺きした屋根の軒先に軒樋を設けた軒先構造であって、軒樋の屋外側の上端部に屋外方向へ延出片を設けると共に延出片の先端に見付け部を設け、見付け部を屋根材の軒側先端面と同等の外観に形成すると共に、段葺きした屋根材の各軒側先端面が軒棟方向に並ぶ延長上に見付け部を配置して成ることを特徴とする軒先構造。
【請求項２】
軒樋の見付け部の前面の縦幅、傾斜角度、色彩を、屋根材の軒側先端面と同じに形成することによって、見付け部を屋根材の軒側先端面と同等の外観に形成して成ることを特徴とする請求項１に記載の軒先構造。
【請求項３】
軒先端部に位置する屋根材の軒先端と軒樋の見付け部の前面の間の距離をＹ、段葺きされる各屋根材の暴露される上面の軒棟方向の寸法をＺとしたときに、
Ｚ／３≦Ｙ≦Ｚ
となるように、見付け部を配置したことを特徴とする請求項１又は２に記載の軒先構造。
【発明の詳細な説明】
【技術分野】
【０００１】
本発明は、屋根材を段葺きした屋根の軒先に軒樋を設けて形成される軒先構造に関するものである。
【背景技術】
【０００２】
屋根は多数枚の屋根材を葺設して形成されるものであり、また屋根の軒先には雨水の排水のために軒樋が取り付けられる。そして、屋外から屋根を見上げて眺める際に、屋根材と軒樋が同時に目に入るが、屋根材と軒樋とは外観が全く異なるので、軒先において統一感がなく煩雑な感じを与えることになる。また軒先における屋根材の下側に設けられる造作部材が見えると、軒先がさらに煩雑な外観となる。
【０００３】
そこで、軒樋の屋外側の上端に大きな化粧カバーを取り付け、この化粧カバーで軒先の屋根材を隠し、さらに屋根材の下側の造作部を隠して見えないようにすることによって、軒先が煩雑な外観になることを防ぐようにすることが行なわれている（例えば、特許文献１参照）。
【特許文献１】特開２００３−１４７９２０号公報
【発明の開示】
【発明が解決しようとする課題】
【０００４】
しかし、軒先を隠すように大きな化粧カバーを軒樋に取り付けると、この化粧カバーが目立ってかえって違和感を生じるおそれがあり、また化粧カバーで軒先を隠すことはできても、屋根上の屋根材の総てを隠すことはできないので、屋根材と軒樋の化粧カバーとの間で統一感がなくなり、かえって煩雑な感じを与えるおそれがあるものであった。
【０００５】
本発明は上記の点に鑑みてなされたものであり、軒樋と屋根材との間で統一感を表現することができ、軒先の外観を向上することができる軒先構造を提供することを目的とするものである。
【課題を解決するための手段】
【０００６】
本発明に係る軒先構造は、屋根材１を段葺きした屋根の軒先に軒樋２を設けた軒先構造であって、軒樋２の屋外側の上端部に屋外方向へ延出片３を設けると共に延出片３の先端に見付け部４を設け、見付け部４を屋根材１の軒側先端面１ａと同等の外観に形成すると共に、段葺きした屋根材１の各軒側先端面１ａが軒棟方向に並ぶ延長上に見付け部４を配置して成ることを特徴とするものである。
【０００７】
本発明によれば、軒樋２に設けた見付け部４は、段葺きした屋根材１の各軒側先端面１ａが階段状に並ぶうちの一つとして見えるようになって、見付け部４が段葺きした屋根材１の一部としての外観を呈するものであり、軒樋２と屋根材１との間で統一感を表現することができるものである。
【０００８】
また本発明は、軒樋２の見付け部４の前面の縦幅、傾斜角度、色彩を、屋根材１の軒側先端面１ａと同じに形成することによって、見付け部４を屋根材１の軒側先端面１ａと同等の外観に形成して成ることを特徴とするものである。
【０００９】
本発明によれば、見付け部４を屋根材１の軒側先端面１ａと見分けが付かない程度にまで同等の外観に形成することができるものである。
【００１０】
また本発明は、軒先端部に位置する屋根材１の軒先端と軒樋２の見付け部４の前面の間の距離をＹ、段葺きされる各屋根材１の暴露される上面の軒棟方向の寸法をＺとしたときに、
Ｚ／３≦Ｙ≦Ｚ
となるように、見付け部４を配置したことを特徴とするものである。
【００１１】
この発明によれば、段葺きされる屋根材１の軒棟方向での軒側先端面１ａ間の間隔と、軒先端部に位置する屋根材１の軒側先端面１ａと見付け部４の間の間隔が、大きく異ならない範囲に設定することができ、見付け部４が段葺きした屋根材１の一部として一層見え易くなるものである。
【発明の効果】
【００１２】
本発明によれば、軒樋２に設けた見付け部４は、段葺きした屋根材１の各軒側先端面１ａが階段状に並ぶうちの一つとして見えるようになって、見付け部４が段葺きした屋根材１の一部としての外観を呈するものであり、軒樋２と屋根材１との間で統一感を表現することができ、軒先の外観を向上することができるものである。
【発明を実施するための最良の形態】
【００１３】
以下、本発明を実施するための最良の形態を説明する。
【００１４】
屋根は図１に示すように、傾斜した垂木１０の上に野地板１１を張り、この野地板１１の上に多数枚の屋根材１を葺き並べて施工することによって形成されるものである。そして屋根材１の軒棟方向での接続は、軒棟方向に隣り合う屋根材１において、軒側の屋根材１の棟側端部の上に、棟側の屋根材１の軒側端部を重ねるようにした、段葺きで行なわれるものであり、軒棟方向で連なる各屋根材１の上面は平行になっている。また軒と平行に隣り合う屋根材１は、図２に示すように上面が面一になるように接続されるものである。従って、屋外から屋根を見上げると、図１のように屋根材１の見付け面となる各軒側先端面１ａが軒棟方向において一定間隔で階段状に並んで見えることになり、また軒と平行な方向では図２のように、各屋根材１の軒側先端面１ａが横に一直線に連なるように見えることになる。尚、図１において１７は屋根材１の後端部が係止される瓦桟、１８は軒先端部の屋根材１の軒側端部を支持する軒先瓦桟、１９は垂木１０の先端に取り付けられた鼻板、図２において２０は棟に取り付けられた棟包み、２１は登り棟に取り付けられた差棟材である。
【００１５】
また屋根の軒先には、軒と平行に軒樋２を配置して取り付けてある。軒樋２は図３に示すように、上面が開口するコ字形断面の本体部１３の屋内側上端部に内側係止片１４を全長に亘って屈曲形成し、本体部１３の屋外側上端部に延出片３を全長に亘って屋外側へ水平に延設すると共に延出片３の先端に全長に亘って見付け部４を屈曲形成することによって、形成されるものである。
【００１６】
軒樋２のこの見付け部４は図３に示すように、延出片３の先端から立ち上がる前面片４ａと、前面片４ａの上端から屋内側へ延出される上面片４ｂとから形成されるものであり、上面片４ｂの先端に下方へ屈曲して外側係止片１５が全長に亘って設けてある。見付け部４の前面片４ａは、その縦幅寸法Ｔを、屋根材１の軒側先端面１ａの縦幅寸法Ｔとほぼ同じ寸法に形成し、また屋根上に葺いた状態での屋根材１の軒側先端面１ａの傾斜角度θとほぼ同じ角度θで前傾させて、傾斜させるようにしてある。尚、この角度θは水平面との間になす角度である。さらに、前面片４ａには、屋根材１の軒側先端面１ａと同じ色彩に着色を施し、素材感も同じになるようにしてある。また見付け部４の上面片４ｂは、屋根に葺いた屋根材１の上面の傾斜角度と略等しい角度で、屋外側に下り傾斜させてある。
【００１７】
上記のように形成される軒樋２は、軒樋受け具２２によって鼻板１９に図３に示すように取り付けられるものである。軒樋受け具２２は固定板２３と係止板２４とから形成されるものであり、係止板２４は連結片２５によって固定板２３に連結固定してある。係止板２４の屋内側端部には内側受け片２６が、屋外側端部には外側受け片２７がそれぞれ上方へ突設してあり、さらに内側受け片２６と外側受け片２７の間の位置において落ち葉除け支持片２８が上方へ延出してある。そして固定板２３を釘打ち等することによって鼻板１９に軒樋受け具２２を固定し、係止板２４の内側受け片２６に軒樋２の内側係止片１４を被挿して係止すると共に、外側受け片２７に見付け部４の内側を被挿して外側係止片１５を係止することによって、軒樋受け具２２に軒樋２を取り付けることができるものである。図３において３１，３２は水切り板、３３はルーフィングである。
【００１８】
上記のように軒樋２を軒先に取り付けるにあたって、図１に示すように、段葺きした屋根材１の各軒側先端面１ａが軒棟方向に並ぶ線の延長線上に見付け部４が配置されるようにするものである。具体的には図４に図示するように、段葺きした屋根材１の各軒側先端面１ａの上端を結ぶ線Ｌ１の延長線と、軒先端部に位置する屋根材１の軒側先端面１ａの下端を通り屋根材１の上面と平行な線Ｌ２の延長線との間に、見付け部４の少なとも一部が配置されるようにしてある。
【００１９】
このように軒樋２の見付け部４を段葺きした屋根材１の各軒側先端面１ａが軒棟方向に並ぶ線の延長線上に配置することによって、屋外から屋根を見上げたときに、屋根材１の各軒側先端面１ａが軒棟方向において階段状に並んで見えると同時に、見付け部４の前面片４ａもこの屋根材１の各軒側先端面１ａの階段状の並びの一つとして最も手前に見えることになる。そして上記のように見付け部４の前面片４ａは、その縦幅、傾斜角度、色彩を、屋根材１の軒側先端面１ａと同じに形成してあり、見付け部４の前面片４ａが屋根材１の軒側先端面１ａと同等の外観になるように形成してあるので、屋外から屋根を見上げたときにこの見付け部４が段葺きした屋根材１の一部としての外観を呈するものである。従って、軒樋２と屋根材１との間で統一感を表現することができ、軒先の外観を向上することができるものである。
【００２０】
また、軒先端部に取り付けられる屋根材１の軒側先端面１ａと軒樋２の見付け部４の前面片４ａの間の距離をＹとし、段葺きされる各屋根材１の暴露される上面の軒棟方向の寸法、すなわち軒棟方向に隣り合う屋根材１の軒側先端面１ａ間の距離をＺとしたときに（ＹとＺはいずれも屋根材１の上面と平行な面で測定した寸法）、
Ｚ／３≦Ｙ≦Ｚ
となるように、軒先端部の屋根材１の軒側先端面１ａと見付け部４の前面片４ａの間の距離Ｙを設定して見付け部４を配置するようにしてある。Ｙがこの範囲であると、屋根材１の軒棟方向での軒側先端面１ａ間の間隔と、軒先端部の屋根材１の軒側先端面１ａと見付け部４の間の間隔が、大きく異ならないように設定することができ、見付け部４が段葺きした屋根材１の一部として一層見え易くなるものである。Ｙ＜Ｚ／３であると、軒棟方向に隣り合う屋根材１の軒側先端面１ａ間の距離に比べて、軒先端部の屋根材１の軒側先端面１ａと見付け部４との距離が短く、見付け部４の前面片４ａを屋根材１の各軒側先端面１ａの階段状の並びの一つとして見せることが難しくなる。またＹ＞Ｚになるようにするには、軒樋１の延出片３の延出長さを長く形成したりする必要があり、軒樋２の外観が不自然になると共に、軒樋２が大きくなって目立つことになる。
【００２１】
また上記のように、軒樋２の屋外側上端部に延出片３や見付け部４を設けることによって、軒先瓦桟１８や水切り板３１，３２などの軒先の造作部材を出片３や見付け部４で隠して、屋外の下方から見えないようにすることができるものであり、この点においても軒先の外観を向上することができるものである。
【００２２】
ここで、軒樋２の上面の開口部には、軒樋２が落ち葉で詰まることを防止するために、落ち葉が軒樋２内に入ることを防ぐ落ち葉除け５が取り付けてある。この落ち葉除け５は軒樋受け具２２の落ち葉除け支持片２８の上端に取り付けられるものであり、その上面を屋根材１の上面の角度と略等しい角度で屋外側に下り傾斜させてある。そして、上記のように軒樋２の見付け部４の上面片４ｂは屋根材１の上面の傾斜と略等しい角度で傾斜させてあり、この上面片４ｂの上面の延長線に落ち葉除け５の上面が略一致する高さ位置に、落ち葉除け５を配置するようにしてある。特に、見付け部４ｂの上面片４ｂの屋外側端部と、軒先端部に位置する屋根材１の軒側先端面１ａの下端とを結ぶ線に、落ち葉除け５の上面が略一致するようにするのが好ましい。このように落ち葉除け５を配置することによって、屋外から軒先を見上げたときに落ち葉除け５が目立つことがなくなり、軒先の外観を向上することができるものである。
【図面の簡単な説明】
【００２３】
【図１】本発明の実施の形態の一例を示す断面図である。
【図２】同上の斜視図である。
【図３】同上の一部の拡大断面図である。
【図４】同上の概略側面図である。
【符号の説明】
【００２４】
１  屋根材
２  軒樋
３  延出片
４  見付け部
５  落ち葉除け
【図１】
2009209608.tif 000003
【図２】
2009209608.tif 000004
【図３】
2009209608.tif 000005
【図４】
2009209608.tif 000006